(57)【特許請求の範囲】
【請求項１】
受光面を有する撮像素子と、
前記撮像素子の前記受光面の前面に設けられたカバーガラスと、
前記カバーガラスに接着剤により接着された第１の光学部材と、
前記第１の光学部材の前記カバーガラスに接着された面に対して反対側の面に配設され、前記受光面に入射される不要光束を遮光する絞りと、
前記絞りに接着剤により接着された第２の光学部材と
を具備し、
前記絞りと前記第２の光学部材との間に加えて、前記第１の光学部材と前記第２の光学部材との間が全面的に接着剤により接着されており、
前記カバーガラスと前記第１の光学部材との間の接着に用いられる接着剤、および、前記第１の光学部材と前記第２の光学部材との間の接着に用いられる接着剤は、それぞれ前記第２の光学部材、前記第１の光学部材を通して前記カバーガラスに入射される紫外線により硬化する紫外線硬化型であることを特徴とする撮像装置。
【請求項２】
前記絞りは、前記第１の光学部材に蒸着により形成されていることを特徴とする請求項１に記載の撮像装置。
【発明の詳細な説明】
【技術分野】
【０００１】
本発明は、例えば内視鏡などに設けられる撮像装置に関する。
【背景技術】
【０００２】
例えば特許文献１には、紫外線硬化型の接着剤によって、例えばプリズムと固体撮像素子との間や、プリズムと水晶フィルタとの間などの光学部品間を接着することによって形成される撮像光学系を有する内視鏡装置が開示されている。
【特許文献１】特開平９−２６２２０７号公報
【発明の開示】
【発明が解決しようとする課題】
【０００３】
このような内視鏡装置では、対物レンズから光学系に入射された光学像がプリズムによって曲げられた後、固体撮像素子でその光学像を撮像するので、対物レンズから撮像素子までの光路が長くなってしまう。また、このような構成を側視型の内視鏡に使用すると、挿入部の先端硬質部の長さが長くなったり、外径が太くなったりすることがある。
【０００４】
また、光学系には通常絞りが設けられているが、固体撮像素子のカバーガラスと光学部材との間にフレア絞りが設けられているとすると、紫外線硬化型などの光硬化型の接着剤を用いる際、光を十分にその接着剤の周辺に到達させることができないことがある。また、光学部材にフレア絞りが設けられる位置によっては、光学像にフレアが生じ易くなることがある。
【０００５】
この発明は、このような課題を解決するためになされたものであり、その目的とするところは、フレアが生じ難く、光硬化型接着剤の硬化性が良い撮像装置（撮像光学系）を提供することにある。
【課題を解決するための手段】
【０００６】
上記課題を解決するために、この発明に係る撮像装置は、受光面を有する撮像素子と、前記撮像素子の前記受光面の前面に設けられたカバーガラスと、前記カバーガラスに接着剤により接着された第１の光学部材と、前記第１の光学部材の前記カバーガラスに接着された面に対して反対側の面に配設され、前記受光面に入射される不要光束を遮光する絞りと、前記絞りに接着剤により接着された第２の光学部材とを具備し、前記絞りと前記第２の光学部材との間に加えて、前記第１の光学部材と前記第２の光学部材との間が全面的に接着剤により接着されており、前記カバーガラスと前記第１の光学部材との間の接着に用いられる接着剤、および、前記第１の光学部材と前記第２の光学部材との間の接着に用いられる接着剤は、それぞれ前記第２の光学部材、前記第１の光学部材を通して前記カバーガラスに入射される紫外線により硬化する紫外線硬化型であることを特徴とする。
絞りを第１の光学部材と第２の光学部材との間に設けることによって、フレアの発生を効果的に抑制することができる。また、絞りを前記第１の光学部材の前記カバーガラスに接着された面に対して反対側の面に有することによって、紫外線を絞りと第２の光学部材との間に到達させることができる。したがって、第１および第２の光学部材の間に絞りが配設されている場合であっても、紫外線硬化型の接着剤を容易に硬化させることができる。また、第１の光学部材と第２の光学部材との間の接着剤は、全面的に塗布されているので、ゴミなどがこれらの間に入り込むことが防止される。
また、紫外線の照射により素早く簡単に硬化し、硬化後の収縮量が少ない硬化特性によって、カバーガラスと第１の光学部材との間、第１の光学部材と第２の光学部材との間を効果的に接着することができる。また、カバーガラスと第１の光学部材との間の紫外線硬化型接着剤、および、第１の光学部材と第２の光学部材との間の紫外線硬化型接着剤を一括して本硬化させることができるので、硬化時間を短縮することができる。
【０００７】
また、前記絞りは、前記第１の光学部材に蒸着により形成されていることが好適である。  
絞りを容易に所望の形状に形成することができるとともに、絞りを薄く形成することができるため、第２の光学部材を紫外線硬化型接着剤で接着することが容易であり、ゴミが入り難い構成にすることができる。また、例えば最外縁部を残した状態でその内側に蒸着することによって、最外縁部から光を通すことができ、すなわち、光硬化型の接着剤を最外縁部を通した光によって硬化させることができる。
【発明の効果】
【０００９】
この発明によれば、フレアが生じ難く、光硬化型接着剤の硬化性が良い撮像装置を提供することができる。
【発明を実施するための最良の形態】
【００１０】
以下、図面を参照しながらこの発明を実施するための最良の形態について説明する。  
まず、第１の実施の形態について図１ないし図５を用いて説明する。  
図１に示すように、側視型電子内視鏡１０は、細長い挿入部１２と、この挿入部１２の基端部に設けられた操作部１４と、この操作部１４から延出されたユニバーサルコード１６とを備えている。これら挿入部１２、操作部１４およびユニバーサルコード１６には、観察光学系２２、照明光学系２４、送気送水管路２６（図２（Ａ）参照）、吸引管路２８（図１参照）が配設されている。さらに、挿入部１２の先端部から操作部１４にかけて、ガイドワイヤや鉗子等の処置具（図示せず）が挿通される処置具挿通チャンネル３０（図２（Ｂ）参照）が形成されている。
【００１１】
ここで、図２（Ａ）に示すように、観察光学系２２は、対物光学系ユニット２２ａと、固体撮像素子ユニット２２ｂと、複数の信号線２２ｄ（図３（Ａ）および図３（Ｂ）参照）を有する撮像ケーブル２２ｃとを備えている。照明光学系２４は、照明レンズ２４ａと、多数のファイバがバンドル状に形成されたライトガイド２４ｂとを備えている。これらのうち、観察光学系２２の撮像ケーブル２２ｃ、照明光学系２４のライトガイド２４ｂ、送気送水管路２６、および、吸引管路２８は、挿入部１２から、操作部１４を介してユニバーサルコード１６の後述するコネクタ（図示せず）まで挿通されている。コネクタには、ビデオプロセッサ、光源、送気送水源、吸引源など（共に図示せず）が着脱可能である。
【００１２】
このため、照明光学系２４は、光源からの照明光がコネクタを通してライトガイド２４ｂの基端に入射される。このライトガイド２４ｂによって照明光が基端から先端に導光され、照明レンズ２４ａを通して出射されて患部などの被写体が照明される。観察光学系２２は、照明された被写体を対物光学系ユニット２２ａで取り込んで固体撮像素子ユニット２２ｂで光電変換して電子データ化し、その電子データを撮像ケーブル２２ｃ（信号線２２ｄ）を通してビデオプロセッサに入力する。そして、ビデオプロセッサに接続されたモニタ（図示せず）に被写体像が映し出される。また、送気送水源は、後述する送気送水バルブ３４によってその動作が制御される。吸引源は、後述する吸引制御バルブ３２によってその動作が制御される。
【００１３】
図１に示すように、操作部１４は、操作部本体１４ａと、グリップ１４ｂと、スイッチカバー１４ｃとを備えている。  
操作部本体１４ａは、吸引制御バルブ３２と、送気送水バルブ３４と、リモートスイッチ３６とを例えば並設した状態に備えている。リモートスイッチ３６の一部は、スイッチカバー１４ｃの内部に配設されている。ここで、吸引制御バルブ３２は、吸引管路（図示せず）の切り替えを行なう際に使用される。送気送水バルブ３４は、観察光学系２２の後述する対物レンズ１３４を洗滌するときに洗滌液を出すなど送液する場合や、洗滌したときに対物レンズ１３４に付着した液体を吹き飛ばす際に送気する場合に使用される。リモートスイッチ３６は、後述する固体撮像素子１５４により撮像した電子データ信号に対して所望の処理を行なう際に使用される。例えば、リモートスイッチ３６は、例えば内視鏡１０によって観察される像を拡大したり、その像を切り取ったり（写真に撮ったり）するなど、適宜に割り当てられている。
【００１４】
操作部１４には、それぞれ硬質の樹脂材で形成されたアングルノブ４２（第１および第２の湾曲操作ノブ４２ＵＤ，４２ＲＬ）と、湾曲固定レバー４４（第１および第２のエンゲージレバー４４ＵＤ，４４ＲＬ）と、起上操作ノブ４６とが取り付けられている。  
第１の湾曲操作ノブ４２ＵＤは、挿入部１２の湾曲部５４を上下方向に湾曲させるときに回動操作される。第２の湾曲操作ノブ４２ＲＬは、挿入部１２の湾曲部５４を上下方向に対して略９０度異なる位置である左右方向に湾曲させるときに回動操作される。第１のエンゲージレバー４４ＵＤは、第１の湾曲操作ノブ４２ＵＤを所望の状態で固定するときに操作される。すなわち、第１のエンゲージレバー４４ＵＤは、湾曲部５４を上下方向に湾曲させた状態を保持するときに使用される。第２のエンゲージレバー４４ＲＬは、第２の湾曲操作ノブ４２ＲＬを所望の状態で固定するときに操作される。すなわち、第２のエンゲージレバー４４ＲＬは、湾曲部５４を左右方向に湾曲させた状態を保持するときに使用される。起上操作ノブ４６は、後述する処置具起上台８２を起上操作する際に操作される。
【００１５】
操作部１４の挿入部１２側のグリップ１４ｂには、上述した処置具挿通チャンネル３０の基端側の出口（図示せず）が形成されている。この出口には鉗子栓４８が着脱可能に装着されている。
【００１６】
ユニバーサルコード１６は、例えばポリウレタン等の樹脂材で被覆されている。このユニバーサルコード１６の、操作部１４に対して遠位側の端部には、硬質の樹脂材で形成されたコネクタ（図示せず）が取り付けられている。このコネクタには、観察光学系２２、照明光学系２４および送気送水管路２６の基端部が配設されている。
【００１７】
挿入部１２は、先端硬質部５２と、この先端硬質部５２の基端部に設けられた湾曲部５４と、この湾曲部５４の基端部に設けられた可撓管部５６とを備えている。可撓管部５６の基端部は、挿入部１２の折れ止め５８を介して操作部１４のグリップ１４ｂに連結されている。
【００１８】
図２（Ａ）に示すように、湾曲部５４および可撓管部５６には、上下方向湾曲用および左右方向湾曲用のそれぞれ１対で、計２対の操作ワイヤ６２が挿通されている。湾曲部５４は、複数の湾曲駒５４ａが挿入部１２の長手方向に沿って、互いに対して回動可能に連接されている。これら湾曲駒５４ａには、観察光学系２２、照明光学系２４、送気送水管路２６、吸引管路２８、処置具挿通チャンネル３０が内挿されている。各湾曲駒５４ａの内側には、操作ワイヤ６２が配設される４つの操作ワイヤガイド５４ｂが中心に対して略９０度の間隔に形成されている。また、可撓管部５６には、各操作ワイヤ６２が挿通されるワイヤ挿通パイプ５６ａが配設されている。各ワイヤ挿通パイプ５６ａは、例えば密巻コイルなどにより形成されている。そして、操作ワイヤ６２の先端は、湾曲部５４の最も先端の湾曲駒５４ａに固定され、操作ワイヤ６２の基端は、第１の湾曲操作ノブ４２ＵＤおよび第２の湾曲操作ノブ４２ＲＬに固定されている。このため、第１の湾曲操作ノブ４２ＵＤを操作すると、対向する１対の操作ワイヤ６２のうち、一方が挿入部１２の先端部側に向かって移動し、他方が挿入部１２の基端側に向かって移動する。したがって、湾曲部５４の湾曲駒５４ａが互いに対して回動して、所望の方向に湾曲される。第２の湾曲操作ノブ４２ＲＬを操作すると、第１の湾曲操作ノブ４２ＵＤを操作したときに湾曲部５４が湾曲される方向に対して略９０度ずれた方向に湾曲される。
【００１９】
なお、これら連接された湾曲駒５４ａの外周には、複数の湾曲駒５４ａやその内部に配設される観察光学系２２や照明光学系２４などの挿通物を保護する樹脂材製の外皮５４ｃが被覆されている。この外皮５４ｃの先端は、先端硬質部５２の基端部の外周面とともに先側糸巻部６４ａによって固定されている。外皮５４ｃの基端は、可撓管部５６の先端部の外周面とともに後側糸巻部６４ｂによって固定されている。
【００２０】
先端硬質部５２は、各種の機器が装着される先端枠部材７２と、この先端枠部材７２を保護するための先端カバー７４とを備えている。  
先端枠部材７２には、略円柱形状の側面部分が挿入部１２の長手方向に平行に先端から切り欠かれた略平面状の平坦面７２ａと、後述する処置具起上台８２が配設される収容室７２ｂとが挿入部１２の長手方向に並設されている。さらに、この先端枠部材７２には、観察光学系２２の先端部が配設される観察光学系孔部７６ａと、照明光学系２４の先端部が配設される照明光学系孔部７６ｂと、送気送水管路２６の先端部が配設される送気送水管路孔部７６ｃと、処置具挿通チャンネル３０の先端部が配設される処置具挿通チャンネル孔部７６ｄとが形成されている。観察光学系孔部７６ａの対物光学系ユニット２２ａの先端の対物レンズ１３４、および、照明光学系孔部７６ｂの照明レンズ２４ａは、平坦面７２ａに略面一か、僅かに突出した状態に、かつ、挿入部１２の長手方向に沿って隣接した状態で配設されている。したがって、観察光学系２２の先端部、および、照明光学系２４のライトガイド２４ｂの先端部は、挿入部１２の先端硬質部５２の先端枠部材７２で、これらの先端が平坦面７２ａに配設されるように、大きく曲げられている。送気送水管路２６の先端は、観察光学系孔部７６ａの対物レンズ１３４の先端、および、照明光学系孔部７６ｂの照明レンズ２４ａに送気や送水可能なように、平坦面７２ａの基端部の位置に配設されている。処置具挿通チャンネル孔部７６ｄの先端は、収容室７２ｂに連通されている。これら送気送水管路２６の先端部、および、処置具挿通チャンネル３０の先端部は、挿入部１２の長手方向に沿って設けられている。
【００２１】
先端枠部材７２の収容室７２ｂには、処置具挿通チャンネル３０を挿通させた処置具を収容室７２ｂの開口部から外部に突出させるとともに、所望の方向に案内する案内面８２ａを有する処置具起上台８２が配設されている。この処置具起上台８２は、その一端が先端枠部材７２の収容室７２ｂの内部に設けられた起上台回動支点７２ｃに枢着されている。この起上台回動支点７２ｃは、処置具挿通チャンネル３０の先端開口部の前方の下側の位置に配置されている。
【００２２】
図２（Ｂ）および図２（Ｃ）に示すように、処置具起上台８２には、起上ワイヤ８４の先端が固定されている。この起上ワイヤ８４の基端は、先端硬質部５２の先端枠部材７２、湾曲部５４および可撓管部５６を通して操作部１４の起上操作ノブ４６に連結されている。なお、起上ワイヤ８４は、先端枠部材７２の内部では、ガイドパイプ８４ａおよびガイドチューブ８４ｂに挿通されている。起上ノブ４６を操作して起上ワイヤ８４を牽引操作すると、処置具起上台８２が起上台回動支点７２ｃを中心として収容室７２ｂ内において、図２（Ｂ）中に実線で示す処置具収容位置から、２点鎖線で示す処置具起上位置に回動する。このため、処置具挿通チャンネル３０を通して収容室７２ｂの内部に配設された処置具は、起上台８２の起上作用に伴って挿入部１２の長手方向から外れる方向に屈曲される。
【００２３】
次に、図３ないし図５を用いて観察光学系２２の先端部の構造について詳述する。  
図３（Ａ）に示すように、観察光学系２２のうち、挿入部１２の先端硬質部５２に配設される先端部は、側視型の内視鏡１０に使用されるため、直視型と異なり、その長手方向が挿入部１２の長手方向から外れるように略Ｌ字型に形成されている。具体的には、観察光学系２２の先端部のうち、固体撮像素子ユニット２２ｂが略Ｌ字型に形成されている。固体撮像素子ユニット２２ｂは、撮像光学系（撮像装置）１０２と、電子回路部１０４と、これら撮像光学系１０２および電子回路部１０４が配設されたケーシング１０６とを備えている。
【００２４】
撮像光学系１０２は、対物光学系ユニット２２ａと同軸上に配置されている。電子回路部１０４は、一端（先端側）に撮像光学系１０２が配設され、他端（基端側）に撮像ケーブル２２ｃが接続されている。この電子回路部１０４は、対物光学系ユニット２２ａの光軸Ｏに対して略Ｌ字型の関係となるように、その光軸Ｏに対して外れた方向に延設されている。
【００２５】
図３（Ａ）および図３（Ｂ）に示すように、このケーシング１０６は、撮像光学系保持枠１１２と、シールド枠１１４と、熱収縮チューブ１１６とを備えている。この保持枠１１２は、電子回路部１０４が配設されるように、先端部と基端部との間の横断面（図示せず）が略Ｕ字状に形成されている。シールド枠１１４は、保持枠１１２の外周を覆う（略Ｕ字状の保持枠１１２に蓋をする）ように配設されている。熱収縮チューブ１１６は、シールド枠１１４の外周を覆うように密着した状態に配設されている。なお、熱収縮チューブ１１６の基端部は、シールド枠１１４の基端部よりもさらに基端側に延出されている。この熱収縮チューブ１１６の基端部は、撮像ケーブル２２ｃの外周に糸締め部２２ｆによって固定された外装チューブ２２ｅの外周を閉塞するように密着されている。
【００２６】
図３（Ａ）に示すように、保持枠１１２の先端側の外周面および底部は、断面が略Ｌ字型に屈曲された状態に形成されている。そして、図３（Ａ）および図３（Ｂ）に示すように、この保持枠１１２には、電子回路部１０４が配設されている。すなわち、この保持枠１１２には、電子回路部１０４として、後述する固体撮像素子１５４が実装されたＴＡＢテープ（回路基板）１２２、このＴＡＢテープ１２２に装着されたトランジスタやコンデンサ等の電子部品１２４、ＴＡＢテープ１２２と固体撮像素子１５４との間を電気的に接続するリード１２６などが配設されている。リード１２６はＴＡＢテープ１２２の先端から突出され、固体撮像素子１５４にバンプ接続されている。
【００２７】
ＴＡＢテープ１２２のパターンレイアウト（図示せず）は、撮像ケーブル２２ｃを直視型の観察光学系２２２（図７参照）と共通して使用するように形成されている。すなわち、ＴＡＢテープ１２２のパターンレイアウトは、撮像ケーブル２２ｃの複数の信号線２２ｄのうち、決められた信号線２２ｄにそれぞれ電気的に接続されている。言い換えると、決められた信号線２２ｄが、固体撮像素子１５４の出入力端子と一対一に対応するように、ＴＡＢテープ１２２のパターンレイアウトが形成されている。したがって、本実施の形態に係る側視型の観察光学系２２を使用する場合であっても、直視型の観察光学系２２２と同じ（共通した）撮像ケーブル２２ｃを使用することができる。
【００２８】
図３（Ａ）に示すように、ＴＡＢテープ１２２のうち、ＴＡＢテープ１２２上に実装された固体撮像素子１５４の先端側の領域には、ＴＡＢテープ１２２を折り曲げ加工し易いように、第１のスリット部１２４ａが形成されている。ＴＡＢテープ１２２に第１のスリット部１２４ａを設けて折り曲げ加工するのは、固体撮像素子１５４の背面側（電子回路部１０４の延出方向と逆側）の電子回路部１０４の突出量を短くするためである。  
また、固体撮像素子１５４の基端側の領域には、同様に、第２のスリット部１２４ｂが形成されている。第２のスリット部１２４ｂの目的は、固体撮像素子１５４とＴＡＢテープ１２２とを接着する接着剤の電子回路部１０４の延出方向へのはみ出し量を規制するためである。その結果として、ＴＡＢテープ１２２を第２のスリット部１２４ｂで折り曲げることができ、固体撮像素子１５４の受光面、すなわち、観察光学系２２の光軸Ｏが所定の向きに傾けられる。
【００２９】
なお、これら第１および第２のスリット部１２４ａ，１２４ｂは、例えばポリイミド材製のＴＡＢテープ１２２の一部を除去加工などすることにより形成されている。第１および第２のスリット部１２４ａ，１２４ｂは、ＴＡＢテープ１２２の長手方向に対して直交する方向に形成されていることが好適である。
【００３０】
図４に示す撮像光学系１０２の固体撮像素子１５４およびカバーガラス１５６、ＴＡＢテープ１２２の先端側、リード１２６は、例えば黒色のエポキシ系接着剤や樹脂などの接着剤Ａ１が充填されることによって一体化されている。このため、固体撮像素子１５４と電子回路部１０４とを繋ぐリード１２６を機械的かつ電気的に保護することができる。
【００３１】
図３（Ａ）に示すように、保持枠１１２の基端側の底部は切り欠かれた切欠面１１２ａを備えている。特に、保持枠１１２の基端側の底部の切欠面１１２ａは、その保持枠１１２の基端側への延出方向に対して斜めにカットされている。この切欠面１１２ａは、挿入部１２の長手方向に平行である。このように、保持枠１１２の基端側の底部が斜めにカットされていることにより、保持枠１１２とシールド枠１１４との関係において、シールド枠１１４を小径化することができる。その結果、観察光学系２２の先端部の高さ方向（側視方向）のサイズの短縮化が実現されている。
【００３２】
そして、この保持枠１１２の底部は、底部側が先端側（保持枠１１２の屈曲部側）に突出した突出部を有するシールド枠１１４により覆われている。このシールド枠１１４の基端部は、保持枠１１２の基端よりもさらに基端側に延出されている。ＴＡＢテープ１２２に接続される撮像ケーブル２２ｃの信号線２２ｄの先端側の接続部は、シールド枠１１４により覆われている。
【００３３】
シールド枠１１４の先端側の底部には、開口１１４ａが形成されている。この開口１１４ａは、シールド枠１１４の、底部側が先端側に突出した突出部の横幅を後端側の筒部の横幅より広くし、かつ、成型時にシールド枠１１４の突出部の形状を安定させるため（曲げＲがつかないようにするため）に設けられている。そして、先端が斜めにカットされ、底面側が上側よりも前方に突出する薄肉の熱収縮チューブ１１６によって、そのシールド枠１１４の開口１１４ａが覆われるとともに閉塞されて水密の機能を確保している。
【００３４】
なお、シールド枠１１４の基端側には、上部を外側に折り返して二重に形成された重ね部１１４ｂ（図３（Ａ）参照）が形成されている。このため、シールド枠１１４の強度が向上されている。また、シールド枠１１４の先端側は、折り返さずに加工し易い形状に形成されている。
【００３５】
ＴＡＢテープ１２２は、後述するように、第１および第２の光学部材１５８，１６０（図４参照）を含む撮像光学系１０２の固体撮像素子１５４が実装され、かつ、対物光学系ユニット２２ａが撮像光学系１０２に装着された状態で、保持枠１１２の内部に接着剤Ａ５，Ａ２などが充填されることによって保持枠１１２内に固定される。
【００３６】
図３（Ａ）に示すように、対物光学系ユニット２２ａは、対物レンズ枠１３２と、対物レンズ１３４と、メニスカスレンズ１３６と、片凸レンズ１３８とを備えている。対物レンズ１３４は、対物レンズ枠１３２の先端に固定されている。このとき、対物レンズ枠１３２の先端に対して、対物レンズ１３４の先端面が僅かに突出した状態にある。なお、この対物レンズ１３４の先端面は、先端硬質部５２の先端枠部材７２の平坦面７２ａに対して僅かに突出した状態で配設される。これは、液体などが対物レンズ１３４に溜まることを防止するものであり、対物レンズ１３４に隣接する照明レンズ２４ａも同様である。
【００３７】
メニスカスレンズ１３６および片凸レンズ１３８は、対物レンズ１３４と同一軸上に配設されている。メニスカスレンズ１３６は、凸方向が対物レンズ１３４に対して離隔する方向に向けられた状態で対物レンズ枠１３２に配設されている。さらに、片凸レンズ１３８は、凸方向が対物レンズ１３４に対して近接する方向に向けられた状態で対物レンズ枠１３２に配設されている。そして、メニスカスレンズ１３６および片凸レンズ１３８は、凸方向が互いに対して対向した状態に配設されている。
【００３８】
このように、メニスカスレンズ１３６および片凸レンズ１３８の凸方向を互いに対して対向して配置する（２枚玉のレンズ構成としている）ことにより、図３（Ａ）に示す対物レンズ１３４に入射される光線の光線高を、従来の光線高に比べて下げることができる。さらに、後述する第２の光学部材１６０を備えたことにより、対物レンズ１３４から固体撮像素子１５４の受光面までの光路長を短くすることができる。すなわち、図５に示す対物光学系ユニット２２ａの視野角を符号αの状態（従来の状態）から本実施の形態では、符号βの状態にすることができる。なお、図５に示す符号αおよび符号βで示す線は平行である。このため、視野角に変更はない。このように視野角を変えずに光線高を下げることができるので、例えば処置具起上台８２が処置具起上位置のときに、観察視野にケラレが生じることが極力防止される。したがって、対物光学系ユニット２２ａの光線高を低くする構成を採用することによって、従来の対物光学系ユニットに比べて、処置具起上台８２が起上位置のときの視野ケラレ量を減少させることができる。
【００３９】
なお、対物光学系ユニット２２ａの光軸Ｏは、図２および図３（Ａ）に示すように、挿入部１２の長手方向と直交する方向よりもさらに若干後方寄りに傾けられた状態に配置されている。これは、内視鏡１０の使い勝手を向上させるためである。
【００４０】
この固体撮像素子ユニット２２ｂの撮像光学系１０２は、図４に示すように、撮像枠部材１５２と、固体撮像素子１５４と、カバーガラス１５６と、第１の光学部材１５８と、第２の光学部材１６０とを備えている。第１の光学部材１５８の外径は第２の光学部材１６０の外径よりも大きく形成されている。
【００４１】
カバーガラス１５６は、固体撮像素子１５４の受光面に固定されている。そして、カバーガラス１５６には、第１の光学部材１５８が固定されている。また、この第１の光学部材１５８には、対物光学系ユニット２２ａに近接した状態で、第２の光学部材１６０が固定されている。なお、第１の光学部材１５８および第２の光学部材１６０の側面は円周状に形成されている。すなわち、第１の光学部材１５８および第２の光学部材１６０は、共に、略円柱状に形成されている。さらに、第１の光学部材１５８と第２の光学部材１６０との間には、フレアの発生を防止するための絞り１６２が配設されている。この絞り１６２は、図３（Ｂ）に示すように、円周状の第１の光学部材１５８の中央に略矩形状で八角形の空間領域が形成されている。絞り１６２が第１の光学部材１５８と第２の光学部材１６０との間に配設されているのは、フレア防止効果を良好にすることと、第１の光学部材１５８とカバーガラス１５６との間の後述する紫外線硬化型接着剤ＡＵＶを確実に硬化させるためである。フレア絞り１６２が第２の光学部材１６０の前面にあると、フレア防止効果が低減されてしまう。また、フレア絞り１６２が第１の光学部材１５８とカバーガラス１５６との間にあると、フレア絞り１６２の陰になる部分に光（紫外線）が当たらないため、接着剤ＡＵＶの硬化度が低下する。
【００４２】
続いて、観察光学系２２の対物光学系ユニット２２ａおよび固体撮像素子ユニット２２ｂの組み立て方について説明する。
【００４３】
まず、第１の光学部材１５８の一方の面に、絞り１６２を蒸着により形成しておく。すなわち、絞り１６２は、円形状の面の縁部に、蒸着により形成されている。なお、図４中の絞り１６２は、説明のために適当な厚みをもって描画したが、蒸着による絞り１６２は図３（Ａ）に示すように、非常に薄く形成されている。
【００４４】
そして、第１の光学部材１５８の他方の面（絞り１６２が形成された面と反対側の面）と、固体撮像素子１５４の受光部に配設されたカバーガラス１５６との間に光を照射すると硬化する光硬化型の接着剤を全面的に塗布して配置する。なお、光には紫外線が用いられることが好適であるとともに、接着剤には紫外線の照射により素早く、硬化後の収縮量が少ない硬化特性を有する紫外線硬化型の接着剤ＡＵＶが用いられる。このとき、第１の光学部材１５８と固体撮像素子１５４の受光部との互いの中心軸を合わせる。すなわち、絞り１６２は、略矩形状のため、固体撮像素子１５４の受光面に対して最適の向きに配置する。言い換えると、固体撮像素子１５４の受光面に対して第１の光学部材１５８を位置出しして配置する。このとき、後述する本硬化させる場合よりも弱い紫外線を照射して、固体撮像素子１５４に配設されたカバーガラス１５６に対して第１の光学部材１５８を仮固定（仮硬化）する。このとき、カバーガラス１５６と第１の光学部材１５８との間の接着剤ＡＵＶは、全面的に塗布されているので、ゴミなどがこれらの間に入り込むことが防止される。
【００４５】
次に、絞り１６２が蒸着された第１の光学部材の一方の面（上面）と、第２の光学部材１６０の他方の面（下面）との間に光を照射すると硬化する光硬化型の接着剤を全面的に塗布して配置する。なお、光には紫外線が用いられることが好適であるとともに、接着剤には紫外線硬化型の接着剤ＡＵＶが用いられる。このとき、第１の光学部材１５８の一方の面には既に絞り１６２が蒸着されているので、第１の光学部材１５８と第２の光学部材１６０との間だけでなく、絞り１６２と第２の光学部材１６０との間にも接着剤ＡＵＶが塗布される。そして、第２の光学部材１６０を第１の光学部材１５８の、好ましくは中心軸に合わせる。この場合、第２の光学部材１６０を第１の光学部材１５８に対してはみ出すことがないように配置する。このとき、第１の光学部材１５８と第２の光学部材１６０との間の接着剤ＡＵＶは、全面的に塗布されているので、ゴミなどがこれらの間に入り込むことが防止される。
【００４６】
この状態で第１の光学部材１５８、第２の光学部材１６０、および、固体撮像素子１５４に配設されたカバーガラス１５６に対して紫外線ランプ等により紫外線を照射する。なお、撮像光学系１０２を回転させたり、紫外線ランプ等の光源を移動させたりして、紫外線を固体撮像素子ユニット２２ｂに均一的に照射する。
【００４７】
ここで、紫外線は、第２の光学部材１６０の一方の面（上面）側から、第２の光学部材１６０および第１の光学部材１５８を通してカバーガラス１５６に照射される。すると、まず、第１の光学部材１５８と第２の光学部材１６０との間の接着剤ＡＵＶが紫外線による作用により硬化（本硬化）して、第１の光学部材１５８と第２の光学部材１６０との間が固定される。このとき、絞り１６２は第１の光学部材１５８の一方の面（上面）に蒸着されているので、第２の光学部材１６０を透過した紫外線は、絞り１６２の上面と第２の光学部材１６０の他方の面との間にも確実に照射される。したがって、第１の光学部材１５８と第２の光学部材１６０との間が紫外線硬化型の接着剤ＡＵＶによって固定される。
【００４８】
次に、第１の光学部材１５８とカバーガラス１５６との間にも、紫外線を到達させて接着剤ＡＵＶを硬化させる。このとき、第２の光学部材１６０の真上から紫外線を照射しただけでは絞り１６２の陰になる部分の接着剤ＡＵＶは他の部分に比べて硬化し難い。しかし、絞り１６２が第１の光学部材１５８のカバーガラス１５６の面ではなく、第２の光学部材１６０側の面に設けられているため、例えば紫外線ランプに対して撮像光学系１０２を移動させることにより、絞り１６２の裏面側にも紫外線が到達し、第１の光学部材１５８とカバーガラス１５６との全面にわたって接着剤ＡＵＶを硬化させることができる。
【００４９】
そして、第２の光学部材１６０側から撮像枠部材１５２を装着する。このとき、第１の光学部材１５８および第２の光学部材１６０の間に黒色のエポキシ樹脂等の接着剤Ａ３を充填して、撮像枠部材１５２に対して固定するとともに、フレアが生じることを防止する。なお、接着剤Ａ３は、第１の光学部材１５８とカバーガラス１５６との間にも充填して、第１の光学部材１５８とカバーガラス１５６との間の接着の補強をするとともに、フレアが生じることを防止する。
【００５０】
次に、ＴＡＢテープ１２２および撮像光学系１０２の周囲に接着剤Ａ５などの接着剤（充填剤）を充填して、撮像ケーブル２２ｃの信号線２２ｄを固定する。したがって、撮像光学系１０２と撮像ケーブル２２ｃの信号線２２ｄとの半田部を保護することができるとともに、第２のスリット部１２４ｂで曲げられたＴＡＢテープ１２２の形状を維持したまま固定することができる。その後、ＴＡＢテープ１２２に実装された撮像光学系１０２を接着剤Ａ２により撮像光学系保持枠１１２の内部に固定する。
【００５１】
このとき、撮像光学系１０２は、ケーシング１０６の保持枠１１２に対して、撮像枠部材１５２のフランジ部を保持枠１１２の内周面に突き当てたり、撮像枠部材１５２のフランジ部の下面を保持枠１１２の端部上に突き当てたりすることにより位置出しする。
【００５２】
さらに、撮像枠部材１５２の、挿入部１２の長手方向の後端側に突出したフランジの上部にも、接着剤Ａ６を充填して、撮像枠部材１５２を保持枠１１２およびシールド枠１１４の内部に固定する。したがって、接着剤Ａ５，接着剤Ａ６を硬化させることにより、撮像光学系１０２のあおり耐性（対物光学系ユニット２２ａに対して撮像光学系１０２をあおるときの耐性）が向上する。
【００５３】
この撮像枠部材１５２の開口された先端部側の内側に、図３（Ａ）に示す対物光学系ユニット２２ａを嵌合する。そして、撮像枠部材１５２および対物レンズ枠１３２が嵌合された部分の外側を覆って撮像枠部材１５２および対物レンズ枠１３２を補強するとともに、接続枠１６６を接着剤Ａ４によって固定する。ここでは、撮像枠部材１５２に段差部を設け、接続枠１６６の内側およびその下側のスペースに接着剤Ａ４を充填して、撮像枠部材１５２に接続枠１６６を固定する。そして、対物光学系ユニット２２ａと撮像光学系１０２とを位置決めする。すなわち、対物光学系ユニット２２ａと撮像光学系１０２との間が接続枠１６６によって固定される。
【００５４】
なお、対物光学系ユニット２２ａおよび撮像光学系１０２の光軸Ｏは、上述したように、挿入部１２の長手方向と直交する方向よりもさらに若干後方寄りに傾けられた状態に配置されている。これは、内視鏡１０の使い勝手を向上させるためである。  
このようにして、観察光学系２２の先端部を形成する。
【００５５】
このような観察光学系２２の先端部の構成によると、先端硬質部５２の先端枠部材７２の長さは、撮像光学系１０２を対物光学系ユニット２２ａと同軸上に配置したので、撮像光学系１０２が長手方向に沿って配置されるスペースをなくすことができる。したがって、先端硬質部５２の先端枠部材７２の長さを、挿入部１２の長手方向に沿って短くすることができる。
【００５６】
以上説明したように、この実施の形態によれば、以下のことが言える。  
対物光学系ユニット２２ａの対物レンズ１３４の内側に、２枚玉のメニスカスレンズ１３６および片凸レンズ１３８を配置したので、対物レンズ１３４に入射される光束の光線高を下げることができる。その結果、処置具起上台８２が起上した状態で生じる視野ケラレ量を減少させることができる。このとき、観察視野角には影響を与えずに視野ケラレ量を減少させることができる。
【００５７】
側視型の撮像光学系１０２を用いる場合であっても、ＴＡＢテープ１２２のパターンレイアウトにより、直視型の撮像光学系１０２（図７参照）に用いられる撮像ケーブル２２ｃと同種の撮像ケーブル２２ｃを使用することができる。
【００５８】
第２の光学部材１６０を備えたため、ゴミの付着やクリーニング時のキズが発生し易い面（この場合、第２の光学部材１６０の上面、第２の光学部材１６０がなければ第１の光学部材１５８の上面）を受光面から遠ざけられることにより、ゴミやキズの目立ち難い光学系とすることができるとともに、対物レンズ１３４から固体撮像素子１５４の受光面までの光路長を短くすることができる。また、フレア防止効果も、例えば第２の光学部材１６０の一方の面（上面）に配置したときよりも、固体撮像素子１５４に近い位置に配置されているので、高いフレア防止効果を得ることができる。さらに、対物光学系ユニット２２ａおよび撮像光学系１０２を合わせた短い光路長の中でフレア防止効果を極力向上させることができる。
【００５９】
また、第１の光学部材１５８と第２の光学部材１６０との間の紫外線硬化型接着剤ＡＵＶを、第２の光学部材１６０側からの紫外線により硬化させる場合、絞り１６２を第１の光学部材１５８の一方の面（上面）に蒸着したので、接着剤ＡＵＶは絞り１６２の上側に塗布されることとなる。このように、蒸着絞り１６２を第１の光学部材１５８の前面に配置したので、第１の光学部材１５８とカバーガラス１５６との間の接着剤ＡＵＶを確実に硬化させることができる。
【００６０】
また、対物光学系ユニット２２ａと同軸上に撮像光学系１０２を配置しているので、少なくとも撮像光学系１０２の分だけ先端硬質部５２の先端枠部材７２の挿入部１２の長手方向に沿った長さを短くすることができる。
【００６１】
したがって、フレアが生じ難く、紫外線硬化型接着剤（光硬化型接着剤）ＡＵＶの硬化性が良い撮像光学系１０２および側視型内視鏡１０を提供することができる。
【００６２】
次に、第２の実施の形態について図６（Ａ）を用いて説明する。この実施の形態は、第１の実施の形態の変形例であって、第１の実施の形態で説明した部材と同一の部材には同一の符号を付し、詳しい説明を省略する。
【００６３】
図６（Ａ）に示す絞り１６２は、第１の実施の形態と同様に、第１の光学部材１５８の一方の面に蒸着されている。ただし、この絞り１６２は、第１の光学部材１５８の一方の面の最外周の縁部には設けられていない。すなわち、第１の光学部材１５８の一方の面の縁部の僅かに内側に絞り１６２、すなわち蒸着部を設けることも好適である。この場合の撮像光学系１０２の組み立て方について説明する。
【００６４】
まず、第１の光学部材１５８の一方の面に、絞り１６２を蒸着により形成しておく。すなわち、絞り１６２は、円形状の面の縁部よりも内側に、蒸着により形成されている。なお、図６（Ａ）中の絞り１６２は、説明のために適当な厚みをもって描画したが、蒸着による絞り１６２は非常に薄く形成されている。
【００６５】
そして、第１の光学部材１５８の他方の面（絞り１６２が蒸着された面と反対側の面）と、固体撮像素子１５４の受光部に配設されたカバーガラス１５６との間に紫外線を照射すると硬化する紫外線硬化型の接着剤ＡＵＶを塗布して配置する。このとき、第１の光学部材１５８と固体撮像素子１５４の受光部との互いの中心軸を合わせる。すなわち、絞り１６２は、画像領域を決定するため、固体撮像素子１５４の受光面に対して最適の向きに配置する。言い換えると、固体撮像素子１５４の受光面に対して第１の光学部材１５８を位置出しして配置する。このとき、後述する本硬化させる場合よりも弱い紫外線を照射して、固体撮像素子１５４に配設されたカバーガラス１５６に対して第１の光学部材１５８を仮固定する。
【００６６】
次に、絞り１６２が蒸着された第１の光学部材の一方の面と、第２の光学部材１６０の他方の面との間に紫外線を照射すると硬化する紫外線硬化型の接着剤ＡＵＶを塗布して配置する。このとき、第１の光学部材１５８の一方の面には既に絞り１６２が蒸着されているので、第１の光学部材１５８と第２の光学部材１６０との間だけでなく、絞り１６２と第２の光学部材１６０との間にも接着剤ＡＵＶが塗布される。そして、第２の光学部材１６０を第１の光学部材１５８の好ましくは中心軸に合わせる。この場合、第２の光学部材１６０を第１の光学部材１５８に対してはみ出すことがないように配置する。
【００６７】
この状態で第１の光学部材１５８、第２の光学部材１６０、および、固体撮像素子１５４に配設されたカバーガラス１５６に対して紫外線ランプ等により紫外線を照射する。なお、撮像光学系１０２を回転させたり、紫外線ランプ等の光源を移動させたりして、紫外線を固体撮像素子ユニット２２ｂに均一的に照射する。
【００６８】
ここで、紫外線は、第２の光学部材１６０側から第１の光学部材１５８を通してカバーガラス１５６に照射される。すると、第１の光学部材１５８と第２の光学部材１６０との間が紫外線硬化型の接着剤ＡＵＶによって固定される。
【００６９】
そして、第２の光学部材１６０の最外周のさらに外側の空間を通して第１の光学部材１５８に向けて紫外線を照射する。このとき、紫外線は、第１の光学部材１５８の一方の面の絞り１６２が蒸着されていない最外縁部を通して第１の光学部材１５８の他方の面に向かって照射される。したがって、第１の光学部材１５８の他方の面とカバーガラス１５６との間に紫外線が照射される。このように、第１の光学部材１５８とカバーガラス１５６との接着面の縁部にも、第１の光学部材１５８の外縁部を通して紫外線を照射することができるので、接着剤ＡＵＶを容易に硬化させることができる。
【００７０】
その後、第２の光学部材１６０側から撮像枠部材１５２を装着する。このようにして観察光学系２２の先端部を形成する。
【００７１】
この実施の形態によれば、第１の光学部材１５８とカバーガラス１５６との接着面の縁部にも、第１の光学部材１５８の外縁部を通して紫外線を照射することができるので、接着剤ＡＵＶを容易に硬化させることができる。
【００７２】
次に、第３の実施の形態について図６（Ｂ）を用いて説明する。この実施の形態は、第１の実施の形態の変形例であって、第１の実施の形態で説明した部材と同一の部材には同一の符号を付し、詳しい説明を省略する。
【００７３】
図６（Ｂ）に示す絞り１６２は、金属材でドーナツ状かつ円盤状の箔膜や薄板で形成されている。この絞り１６２の内周には、八角形の空間領域が形成されている。この場合の撮像光学系１０２の組み立て方について説明する。
【００７４】
まず、第１の光学部材１５８の他方の面（絞り１６２が配置される面と反対側の面）と、固体撮像素子１５４の受光部に配設されたカバーガラス１５６との間に紫外線を照射すると硬化する紫外線硬化型の接着剤ＡＵＶを塗布して配置する。このとき、第１の光学部材１５８と固体撮像素子１５４の受光部との互いの中心軸を合わせる。すなわち、絞り１６２は、固体撮像素子１５４の受光面に対して最適の向きに配置する。言い換えると、固体撮像素子１５４の受光面に対して第１の光学部材１５８を位置出しして配置する。このとき、第１の光学部材１５８の一方の面から第１の光学部材１５８とカバーガラス１５６との間に紫外線を照射して、固体撮像素子１５４に配設されたカバーガラス１５６に対して第１の光学部材１５８を固定する。
【００７５】
そして、第１の光学部材１５８の一方の面に、絞り１６２を配置する。このとき、絞り１６２の下面に接着剤を塗布して接着する。すなわち、第１の光学部材１５８の一方の面と絞り１６２の下面との間に接着剤を塗布する。本実施の形態に係る絞り１６２は金属材であり、紫外線を通さないので、接着剤には、紫外線硬化型の接着剤ではなく、他の適宜のものを用いる。絞り１６２の上面と第２の光学部材１６０の他方の面（下面）との間には接着剤により固定しても、しなくても良い。接着により固定する場合は、紫外線硬化型の接着剤ＡＵＶを用いることも好適である。
【００７６】
その後、第２の光学部材１６０側から撮像枠部材１５２を装着する。このようにして観察光学系２２の先端部を形成する。
【００７７】
この実施の形態によれば、絞り１６２を蒸着によらずに形成しても、第１の実施の形態と同様の効果を得ることができる。また、紫外線硬化型接着剤の接着面を１つ減らすことができるため、紫外線硬化型接着剤の接着作業を簡易化することができ、結果として組み立てを簡易化することができる。
【００７８】
次に、第４の実施の形態について説明する。この実施の形態は、第１ないし第３の実施の形態の変形例であって、第１ないし第３の実施の形態で説明した部材と同一の部材には同一の符号を付し、詳しい説明を省略する。
【００７９】
本実施の形態は、第１の光学部材１５８および第２の光学部材１６０の少なくとも一方を光学フィルタとするものである。
【００８０】
フィルタの位置は、光軸に対して光線が略並行になっている領域で、レンズ上のゴミやキズ等を目立たせないように、固体撮像素子１５４の受光面からできるだけ遠位の位置に設けることが好適である。第１の光学部材１５８および第２の光学部材１６０を用いる場合、光線の並行レベルは、第１の光学部材１５８および第２の光学部材１６０のどちらの内部も同様である。このため、ゴミやキズ等の観点から考慮すると、固体撮像素子１５４から遠い第２の光学部材１６０にフィルタを設けることが好適である。
【００８１】
したがって、例えば反射型の色補正フィルタを用いる場合、コーティング面は第２の光学部材１６０の一方の面（上面）とすることが望ましい。そうすると、コーティング面を固体撮像素子１５４の受光面からできるだけ遠ざけることができる。
【００８２】
吸収型フィルタを用いる場合、第２の光学部材１６０それ自体に色が付されて、すなわち、色ガラスでフィルタとすることが望ましい。ただし、第２の光学部材１６０でなく、第１の光学部材１５８にフィルタを配置しても、ゴミやキズを目立たせなくする効果以外は、同等の色補正効果を得ることができる。
【００８３】
次に、第５の実施の形態について図７を用いて説明する。この実施の形態は、第１ないし第４の実施の形態の変形例であって、第１ないし第４の実施の形態で説明した部材と同一の部材には同一の符号を付し、詳しい説明を省略する。
【００８４】
図７に示す観察光学系２２２は、直視型の内視鏡（図示せず）に用いられる。この観察光学系２２２は、対物光学系ユニット２２２ａと、固体撮像素子ユニット２２２ｂと、撮像ケーブル２２ｃとを備えている。
【００８５】
固体撮像素子ユニット２２２ｂのＴＡＢテープ３２２には、側視型の観察光学系２２と同じ撮像ケーブル２２ｃ（図３（Ａ）および図３（Ｂ）参照）を使用するようにパターンレイアウト（図示せず）が形成されている。このため、側視型の固体撮像素子ユニット２２ｂに用いられるＴＡＢテープ１２２と直視型の固体撮像素子ユニット２２２ｂに用いられるＴＡＢテープ３２２は、パターンレイアウトが異なっている。
【００８６】
固体撮像素子ユニット２２２ｂのうち、撮像光学系１０２は、第１ないし第４の実施の形態で説明したものと同様の構成を有する。すなわち、撮像光学系１０２は、撮像枠部材１５２と、固体撮像素子１５４と、カバーガラス１５６と、第１の光学部材１５８と、第２の光学部材１６０とを備えている。第１の光学部材１５８と第２の光学部材１６０との間には、絞り（図４、図６（Ａ）および図６（Ｂ）参照）が配設されている。
【００８７】
対物光学系ユニット２２２ａは、側視型の対物光学系ユニット２２ａ（図３（Ａ）参照）に比べて内視鏡の挿入部（図示せず）の長手方向に長く採ることができるため、２つのレンズだけでなく、さらに複数のレンズが配設されたレンズ群１４２を備えている。このレンズ群１４２のレンズの配置は、適宜に設定されている。
【００８８】
したがって、この実施の形態によれば、フレアが生じ難く、紫外線硬化型接着剤（光硬化型接着剤）の硬化性が良い撮像光学系１０２および、この撮像光学系１０２を用いた直視型内視鏡を提供することができる。
【００８９】
これまで、いくつかの実施の形態について図面を参照しながら具体的に説明したが、この発明は、上述した実施の形態に限定されるものではなく、その要旨を逸脱しない範囲で行なわれるすべての実施を含む。
【００９０】
上記説明によれば、下記の事項の発明が得られる。また、各項の組み合わせも可能である。
【００９１】
［付記］
（付記項１）
撮像素子の受光面に配設されたカバーガラスの前面に、光軸方向から入射される不要光束を遮光する絞りが一方の面に設けられた第１の光学部材が、前記一方の面を前記カバーガラスと反対側にして接着剤で接着され、
前記第１の光学部材の前記一方の面に、第２の光学部材が接着剤で接着されていることを特徴とする撮像装置。  
絞りを第１の光学部材と第２の光学部材との間に設けることによって、フレアの発生を効果的に抑制することができる。また、絞りを第１の光学部材の、カバーガラスと反対側の一方の面に有することによって、光を絞りと第２の光学部材との間に到達させることができる。したがって、第１および第２の光学部材の間に絞りが配設されている場合であっても、光硬化型の接着剤を容易に硬化させることができる。
【００９２】
（付記項２）
前記絞りは、前記第１の光学部材に蒸着により形成されていることを特徴とする付記項１に記載の撮像装置。
【００９３】
（付記項３）
前記第１の光学部材と前記第２の光学部材との間は接着剤により接着され、
前記カバーガラスと前記第１の光学部材との間の接着に用いられる接着剤、および、前記第１の光学部材と前記第２の光学部材との間の接着に用いられる接着剤は、紫外線の照射により硬化する紫外線硬化型であることを特徴とする付記項１もしくは付記項２に記載の撮像装置。
【００９４】
（付記項４）
前記第１および第２の光学部材が保持される光学枠部材を備え、
前記第２の光学部材は、前記第１の光学部材の外径よりも小さい外径を備え、
前記光学枠部材には、前記第２の光学部材に近接して対物光学系が配置されることを特徴とする付記項１ないし付記項３のいずれか１に記載の撮像装置。  
このため、第１の光学部材を光学枠部材で保持すると、第２の光学部材を光学枠部材で保持した場合に比べて、光学枠部材と第１の光学部材または第２の光学部材とのガタで生じる、固体撮像素子の傾きを最小化でき、これにより偏角を最小化できる。また、第２の光学部材の外径が第１の光学部材の外径よりも小さいため、光学枠部材で保持する際の二重嵌合も避けられる。
【００９５】
（付記項５）
細長い挿入部と、
前記挿入部の基端部に設けられた操作部と
を具備する内視鏡であって、
前記挿入部の先端部には、対物光学系と、前記対物光学系に光学的に接続された撮像光学系とが同軸上に配設され、
前記撮像光学系は、
カバーガラスが受光面に配置された撮像素子と、
一方の面の縁部に絞りを有し、他方の面が前記カバーガラスに接着された第１の光学部材と、
前記第１の光学部材の前記一方の面に設けられた絞りを前記第１の光学部材との間に狭持した状態で接着により固定するとともに、前記対物光学系からの光束を前記撮像素子に向けて導光する第２の光学部材と
を備えていることを特徴とする内視鏡。  
絞りを第１の光学部材と第２の光学部材との間に設けることによって、フレアの発生を効果的に抑制することができる。また、絞りを第１の光学部材の一方の面に有することによって、光を絞りと第２の光学部材との間に到達させることができる。したがって、第１および第２の光学部材の間に絞りが配設されている場合であっても、光硬化型の接着剤を容易に硬化させることができる。
【００９６】
（付記項６）
前記撮像光学系は、前記撮像素子が、前記対物光学系および前記撮像光学系の光軸に対して外れる方向に延出された電子回路部に実装された側視型であることを特徴とする付記項５に記載の内視鏡。  
例えば光路長を短くした対物光学系を用いることによって、プリズムを用いて像を反射させる必要がなく、直接像を得ることができる。
【００９７】
（付記項７）
前記電子回路部には、前記挿入部の基端部に信号を伝達するために、直視型の撮像光学系に用いられる撮像ケーブルと共通の撮像ケーブルが接続されていることを特徴とする付記項６に記載の内視鏡。
【００９８】
このため、撮像光学系を安価に構成することができる。
【００９９】
（付記項８）
前記撮像光学系は、前記撮像素子が、前記対物光学系および前記撮像光学系の光軸に沿って延出された電子回路部に実装された直視型であることを特徴とする付記項５に記載の内視鏡。
【０１００】
絞りを第１の光学部材と第２の光学部材との間に設け、フレアの防止性能を確実に向上させた直視型の撮像光学系を提供することができる。
【０１０１】
（付記項９）
前記電子回路部には、前記挿入部の基端部に信号を伝達するために、側視型の撮像光学系に用いられる撮像ケーブルと共通の撮像ケーブルが接続されていることを特徴とする付記項８に記載の内視鏡。  
このため、撮像光学系を安価に構成することができる。
【０１０２】
（付記項１０）
前記対物光学系は、
対物レンズと、
前記対物レンズに対して離隔する方向に凸方向を有するメニスカスレンズと、
前記メニスカスレンズの凸方向に近接する方向に凸方向を有し、前記撮像光学系に近接して配置された片凸レンズと
を備えていることを特徴とする付記項５に記載の内視鏡。  
このため、光線高を低くして、視野ケラレが生じる可能性を低くすることができる。
【図面の簡単な説明】
【０１０３】
【図１】第１の実施の形態に係る側視型内視鏡を示す概略的な斜視図。
【図２】（Ａ）は第１の実施の形態に係る側視型内視鏡の挿入部の先端部の、（Ｃ）中の２Ａ−２Ａ線に沿う概略的な縦断面図、（Ｂ）は第１の実施の形態に係る側視型内視鏡の挿入部の先端部の、（Ｃ）中の２Ｂ−２Ｂ線に沿う概略的な縦断面図、（Ｃ）は第１の実施の形態に係る側視型内視鏡の、（Ａ）中の２Ｃ−２Ｃ線に沿う概略的な横断面図。
【図３】（Ａ）は第１の実施の形態に係る側視型内視鏡の観察光学系の先端部の、（Ｂ）中の３Ａ−３Ａ線に沿う概略的な縦断面図、（Ｂ）は第１の実施の形態に係る側視型内視鏡の観察光学系の先端部の、（Ａ）中の３Ｂ−３Ｂ線に沿う概略的な縦断面図。
【図４】第１の実施の形態に係る側視型内視鏡の観察光学系の先端部の撮像光学系を示す概略的な縦断面図。
【図５】第１の実施の形態に係る側視型内視鏡の挿入部の先端部の処置具起上台を起上させた状態での、本実施の形態に係る観察光学系の先端部の対物光学系ユニットの視野角βと従来の視野角αとを対比して示す概略的な縦断面図。
【図６】（Ａ）は第２の実施の形態に係る内視鏡の観察光学系の先端部の撮像光学系を示す概略的な縦断面図、（Ｂ）は第３の実施の形態に係る内視鏡の観察光学系の先端部の撮像光学系を示す概略的な縦断面図。
【図７】第５の実施の形態に係る直視型内視鏡の観察光学系の先端部の概略的な縦断面図。
【符号の説明】
【０１０４】
１０２…撮像光学系（撮像装置）、１２２…ＴＡＢテープ、１２４ａ…第１のスリット部、１２６…リード、１５２…撮像枠部材、１５４…固体撮像素子、１５６…カバーガラス、１５８…第１の光学部材、１６０…第２の光学部材、１６２…絞り、ＡＵＶ…紫外線硬化型接着剤、Ａ１，Ａ３…接着剤
【図１】
0005134782.tif 000002
【図２】
0005134782.tif 000003
【図３】
0005134782.tif 000004
【図４】
0005134782.tif 000005
【図５】
0005134782.tif 000006
【図６】
0005134782.tif 000007
【図７】
0005134782.tif 000008